(57)【特許請求の範囲】
【請求項１】
開閉弁の開閉により止水状態と吐水状態を切り替える水栓装置であって、
水栓本体と、
この水栓本体に取り付けられる開閉弁と、
上記水栓本体に取り付けられ、押圧操作するごとに開閉弁を閉じて止水状態とすると共に開閉弁を開いて吐水状態とする押し釦と、
この押し釦と上記水栓本体との間に設けられ、使用者の操作により移動し上記押し釦をロックして止水状態を保持するロック機構と、
上記吐水状態のとき、上記ロック機構の移動を規制して、上記押し釦をロックできないようにするロック機構移動規制機構と、
を有することを特徴とする水栓装置。
【請求項２】
上記押し釦、上記ロック機構及び上記ロック機構移動規制機構は、予めベースプレートに取り付けられ、これらの押し釦、ロック機構、ロック機構移動規制機構、及び、ベースプレートにより、押ボタンユニットが形成され、この押ボタンユニットが上記水栓本体に取り付けられ、さらに、上記ロック機構は、上記ベースプレートに沿って移動し又はその移動が規制される請求項１記載の水栓装置。
【請求項３】
上記ロック機構移動規制機構は、上記ロック機構に設けられ、上記止水状態のとき、上記ロック機構と共に移動して上記押し釦をロックできるようにすると共に、上記吐水状態のとき、上記押し釦の一部に当接して、上記ロック機構の移動を規制して上記押し釦をロックできないようにする請求項１又は請求項２記載の水栓装置。
【請求項４】
上記ロック機構移動規制機構は、吐水状態のとき、上記押し釦の一端部の側面に当接して、上記ロック機構の移動を規制して上記押し釦をロックできないようにする請求項３記載の水栓装置。
【請求項５】
上記ロック機構移動規制機構は、上記押し釦に設けられ、上記止水状態のとき、上記ロック機構の移動を許容して上記押し釦をロックできるようにすると共に、上記吐水状態のとき、上記ロック機構の一部に当接して、上記ロック機構の移動を規制して上記押し釦をロックできないようにする請求項１又は請求項２記載の水栓装置。
【発明の詳細な説明】
【技術分野】
【０００１】
本発明は、水栓装置に係わり、特に、開閉弁の開閉により止水状態と吐水状態を切り替える水栓装置に関する。
【背景技術】
【０００２】
従来から、押し釦を操作することにより、弁体の開閉を止水状態と吐水状態の２状態に切り替え制御するようにした水栓装置が知られている。
このような押し釦を備えた水栓装置では、例えば、掃除のとき、不意に押し釦に触れてしまい、それにより吐水状態となり、衣服が濡れてしまうことがある。また、このとき、温度が高温にセットされていると、火傷を負うという問題もある。また、水栓装置を使用していないときでも、地震等により、落下物があり、その落下物により、押し釦が不意に作動し、吐水される場合もあり、このような状況でも押し釦が作動しなようにする必要がある。さらに、子供が誤って又はいたずらで押し釦を操作する場合もあり、同様な問題が生じる。
【０００３】
このような問題を解決するために、本出願人は、下記の特許文献１の特許出願を行った。この特許文献１に記載された水栓装置においては、押し釦と水栓本体との間にロック機構を設け、このロック機構を使用者が操作して移動させることにより押し釦をロックし、止水状態を保持するようにしている。
【０００４】
【特許文献１】特開２００５−１２０５９６号公報
【発明の開示】
【発明が解決しようとする課題】
【０００５】
上述した特許文献１に記載された従来の水栓装置は、押し釦をロックして止水状態を保持する基本構造を備えており有用なものであるが、その実施形態として記載された具体的構造のものにおいては、ロック機構及び押し釦の構造上、吐水状態のとき（吐水時）でも、ロック機構を操作して押し釦をロックでき、その結果、吐水状態が保持されるようになっていた。
【０００６】
このような構成の従来の装置では、吐水時に、ロック機構が移動して押し釦がロックされていることに使用者が気付かない場合には、使用者は、止水させようとして押し釦を必要以上に強く押し、その結果、押し釦が外れたり、場合によっては、押し釦が破損する可能性があった。
【０００７】
そこで、本発明は、従来技術の問題点を解決するためになされたものであり、止水状態では押し釦をロックすることでき、吐水状態では押し釦をロックできないようにした水栓装置を提供することを目的としている。
【課題を解決するための手段】
【０００８】
上記の目的を達成するために、本発明は、開閉弁の開閉により止水状態と吐水状態を切り替える水栓装置であって、水栓本体と、この水栓本体に取り付けられる開閉弁と、水栓本体に取り付けられ、押圧操作するごとに開閉弁を閉じて止水状態とすると共に開閉弁を開いて吐水状態とする押し釦と、この押し釦と上記水栓本体との間に設けられ、使用者の操作により移動し押し釦をロックして止水状態を保持するロック機構と、吐水状態のとき、ロック機構の移動を規制して、押し釦をロックできないようにするロック機構移動規制機構と、を有することを特徴としている。
このように構成された本発明においては、ロック機構により、押し釦をロックして止水状態を保持することができると共に、ロック機構移動規制機構により、吐水状態のとき、ロック機構の移動を規制して、押し釦をロックできないようにしている。この結果、本発明によれば、吐水時に、使用者が、止水させようとして押し釦を必要以上に強く押すことがないので、押し釦が外れたり、押し釦が破損することを防止することができる。
【０００９】
本発明において、好ましくは、押し釦、ロック機構及びロック機構移動規制機構は、予めベースプレートに取り付けられ、これらの押し釦、ロック機構、ロック機構移動規制機構、及び、ベースプレートにより、押ボタンユニットが形成され、この押ボタンユニットが水栓本体に取り付けられ、さらに、ロック機構は、ベースプレートに沿って移動し又はその移動が規制される。
このように構成された本発明においては、押し釦、ロック機構、ロック機構移動規制機構、及び、ベースプレートがユニット化されているので、ロック機構及びロック機構移動規制機構の取り付けが容易となり、さらに、この押ボタンユニットを単に水栓本体に取り付ければよいので、組立作業性が向上する。さらに、ロック機構は、ベースプレートに沿って移動し又はその移動が規制されるようになっているので、ロック機構の操作が簡単となり、操作性が向上する。
【００１０】
本発明は、好ましくは、ロック機構移動規制機構は、ロック機構に設けられ、止水状態のとき、ロック機構と共に移動して押し釦をロックできるようにすると共に、吐水状態のとき、押し釦の一部に当接して、上記ロック機構の移動を規制して押し釦をロックできないようにする。
このように構成された本発明においては、ロック機構移動規制機構がロック機構に設けられているので、構造が簡単となり、また、ロック機構及びロック機構移動規制機構の取り付けも容易となる。
【００１１】
本発明は、好ましくは、ロック機構移動規制機構は、吐水状態のとき、押し釦の一端部の側面に当接して、ロック機構の移動を規制して押し釦をロックできないようにする。
このように構成された本発明においては、ロック機構移動規制機構が、押し釦の一端部の側面に当接するので、構造が簡単となり、組立作業性が向上する。
【００１２】
本発明において、好ましくは、ロック機構移動規制機構は、押し釦に設けられ、止水状態のとき、ロック機構の移動を許容して上記押し釦をロックできるようにすると共に、吐水状態のとき、ロック機構の一部に当接して、ロック機構の移動を規制して押し釦をロックできないようにする。
このように構成された本発明においては、ロック機構移動規制機構が押し釦に設けられているので、構造が簡単となり、また、ロック機構及びロック機構移動規制機構の取り付けも容易となる。
【発明の効果】
【００１３】
以上説明したように、本発明の水栓装置によれば、止水状態では押し釦をロックすることができ、吐水状態では押し釦をロックできないようにすることができる。
【発明を実施するための最良の形態】
【００１４】
以下に添付図面を参照して本発明の実施形態を説明する。先ず、図１乃至図１６により、本発明の第１実施形態を説明する。
最初に、図１及び図２により、本発明の第１実施形態の水栓装置である湯水混合水栓の基本構成を説明する。図１は、本発明の第１実施形態による湯水混合水栓を示す全体斜視図であり、図２は、図１に示す湯水混合水栓の部品を展開して示す展開図である。
【００１５】
図１に示すように、符号１０１は、本実施形態による湯水混合水栓を示し、この湯水混合水栓１０１は、湯水混合水栓１０１の設置面である壁面から突出して設けられている。この湯水混合水栓１０１は、水栓本体１０２を備え、この水栓本体１０２に、温度調整用ダイヤル１０４及び押ボタンユニット１０６が取り付けられている。この押ボタンユニット１０６は、カラン吐水用のカラン用押し釦１０８、シャワー吐水用のシャワー用押し釦１１０、これらの押し釦１０８，１１０が取り付けられるベースプレート１１２、押し釦１０８，１１０をロックして止水状態を保持するロック機構１４２、及び、吐水状態でロック機構１４２の移動を規制して押し釦１０８，１１０がロックされないようにするロック機構移動規制機構である移動規制部１９０，１９２（図３参照）から構成されている。
【００１６】
温度調整用ダイヤル１０４により所望の水温が設定され、湯水の混合比が調整されて、適温の吐水がなされる。また、カラン用押し釦１０８を操作することでカランから吐水され、シャワー吐水用押し釦１１０を操作することでシャワーからシャワー吐水がなされる。
ここで、カラン用押し釦１０８及びシャワー用押し釦１１０のそれぞれ操作面を水栓本体１０２の表面とほぼ同一面上に設けることにより、操作性を向上させている。
【００１７】
カラン用押し釦１０８の取付け位置の前方下面側には、カラン吐水口１１６が設けられ、また、シャワー用押し釦１１０の取付け位置の下面側には、シャワー吐水口１１８（図２参照）が設けられている。カラン吐水口１１６には、カラン吐水管１２０が接続され、また、シャワー吐水口１１８には図示しないシャワーヘッドに連通したシャワーホース１２２が接続されている。
【００１８】
使用者は、温度調整用ダイヤル１０４により所望の温度を設定するとともに、カラン吐水を得たい場合はカラン用押し釦１０８を、シャワー吐水を得たい場合はシャワー用押し釦１１０を押すことにより、直ちに、所望の温度の混合水の吐水を得ることができる。そして、各押し釦１０８、１１０を再度押すと、止水されるようになっている。
【００１９】
次に、湯水混合水栓１０１内における湯水の流れを説明すると、先ず、給水管、給湯管から湯水混合水栓１０２内に流入した湯水は、湯用、水用それぞれに設けられた止水栓により適当な流量に絞られ、湯用、水用それぞれに設けられたフィルターおよび逆止弁を通過し、温度調節弁に流入する。温度調節弁はサーモスタット式の湯水混合弁であり、湯と水は所望の設定された温度に自動調整され、湯水混合水が温度調節弁から流出する。その後、湯水混合水はカラン用、シャワー用それぞれに設けられた開閉弁ユニット１３０，１３２を経て、カランおよびシャワーノズルから吐水される。
【００２０】
図２に示すように、開閉弁ユニット１３０，１３２は、それぞれ、開閉弁ユニット取付用ナット１３４により、水栓本体１０２に固定されるようになっている。ここで、開閉弁ユニット１３０，１３２の構造は、上述した特許文献１に記載したものと同様である。
また、押ボタンユニット１０６は、ベースープレート１１２の上部に４つの係止片１６８（図３参照）及び２つの固定用フランジ１７０を備えており、押ボタンユニット１０６を水栓本体１０２に取り付けるときは、４つの係止片１６８を水栓本体１０２の係止孔（図示せず）に挿入して係止し、次に、水栓本体１０２の下方側から固定用フランジ１７０を固定用ビス１３６により水栓本体１０２に固定するようになっている。
【００２１】
次に、図３乃至図８により、押ボタンユニット１０６の詳細構造を説明する。図３は押ボタンユニット１０６の部品を展開して示す展開図であり、図４は押し釦１０８（１１０）を裏側から見た斜視図であり、図５は押ボタンユニット１０６の正面図であり、図６は図５のＤ−Ｄ線に沿って見た断面図であり、図７はロック解除時に使用者が押し釦１０８（１１０）を操作するときの押し釦の各レベルを示す湯水混合水栓の部分断面図であり、図８は押し釦による止水状態（図８（ａ））と吐水状態（図８（ｂ））を示す側面図である。
【００２２】
図３に示すように、押ボタンユニット１０６は、上述したように、ベースプレート１１２と、このベースプレート１１２に取り付けられるカラン用押し釦１０８及びシャワー用押し釦１１０を備えている。
また、ベースプレート１１２は、カラン用押し釦１０８及びシャワー用押し釦１１０の間にこれらの押し釦を仕切る仕切り部１３８を一体的に備えている。これにより、使用者が、カラン用押し釦１０８及びシャワー用押し釦１１０を操作するときの誤操作を簡易な構造により防止することができる。
【００２３】
さらに、押ボタンユニット１０６は、これらの押し釦１０８，１１０をベースプレート１１２に取り付けたとき、押し釦１０８，１１０をベースプレート１１２に押し付けるための付勢手段であるコイルばね１４０、及び、押し釦１０８，１１０を操作しても、止水状態を保持して吐水状態とならないようにするための誤操作防止用のロック機構１４２を備えている。また、ロック機構１４２には、上述した移動規制部１９０，１９２が一体的に形成されている。
【００２４】
次に、図４に示すように、押し釦１０８（１１０）は、その一端側に一対の支持軸１４４（１４４ａ，１４４ｂ）が設けられ、この支持軸１４４のうちの長い方の支持軸１４４ａには、コイルばね１４０が取り付けられている（図６参照）。また、押し釦１０８（１１０）の裏面側には、開閉弁ユニット１３０（１３２）の操作部３６（図７参照）と当接して使用者の押圧力を伝達する操作用突起１４６が一体的に設けられている。
【００２５】
図６に示すように、取付時には、先ず、押し釦１０８（１１０）の支持軸１４４ａに、コイルばね１４０を装着し、次に、図３に示すベースプレート１１２に取り付ける。具体的には、カラン用押し釦１０８の支持軸１４４ａは、ベースプレート１１２の取付用溝１４８を形成する突起１５０（１５０ａ，１５０ｂ）に当接し、弾性変形して内側にたわみ、突起１５０を乗り越えて、取付用溝１４８内に回動可能に取り付けられる。
【００２６】
図７（ａ）は、ロック解除時の止水状態（閉状態）を示しており、このとき、押し釦１０８（１１０）の上面と、水栓本体１０２の上面（表面）は同じレベルとなっている。この止水状態（閉状態）時、開閉弁ユニット１３０（１３２）において、押し釦１０８（１１０）の裏面側（下面側）の操作用突起１４６に接触する操作部３６の位置は、パイロット弁切替保持機構（図示せず）により、レベルＬ０となっている。
【００２７】
次に、止水状態から吐水状態に切り替えるときは、図７（ｂ）に示すように、押し釦１０８（１１０）は、パイロット弁切替保持機構（図示せず）が解除されるため、一旦、最下方位置まで下がる。
【００２８】
次に、図７（ｂ）の状態から吐水操作を終了したときは、図７（ｃ）に示す状態となり、このとき、押し釦１０８（１１０）の上面が、水栓本体１０２よりｈ１だけ高い位置となっている。具体的には、この吐水状態時、開閉弁ユニット１３０（１３２）において、押し釦１０８（１１０）の操作用突起１４６に接触する操作部３６の位置は、パイロット弁切替保持機構（図示せず）により、レベルＬ１となっている。このレベルＬ１の位置は、レベルＬ０よりも、ｈ１だけ、高い位置となっており、その結果、押し釦１０８（１１０）が、水栓本体１０２の表面よりも、上方に位置するようになっている。
【００２９】
図８（ａ）に示すように、止水状態のときは、押し釦１０８（１１０）は、押し釦１０８（１１０）とベースプレート１１２との間で作用するコイルばね１４０による比較的に小さな付勢力により、または、付勢力がほぼゼロの状態で、開閉弁ユニット１３０（１３２）の操作部３６に対して、下方に押し付けられている。また、図８（ｂ）に示すように、吐水状態のときは、押し釦１０８（１１０）は、コイルばね１４０による比較的に大きな付勢力により、下方に押し付けられている。
【００３０】
このため、使用者が、止水状態から吐水状態とするための吐水操作をした時、押し釦１０８（１１０）は、コイルばね１４０により、ベースプレート１１２、即ち、下方に押し付けられるので、釦自体が振動する（暴れる）ことを防止することができる。
【００３１】
次に、図９乃至図１３により、ロック機構１４２の取付方法を説明する。図９は、ベースプレートを図３のＦ方向から見た図であり、図１０は、図９のＧ−Ｇ線に沿って見た断面図であり、図１１は，ロック機構を示す正面図であり、図１２は、図１１の側面図であり、図１３は、ロック機構が取り付けられた状態を示す押ボタンユニット１０６の断面図である。
【００３２】
先ず、図９及び図１０に示すように、ベースプレート１１２は、その中央部の底面に中央底面部１７２を有し、両側の底面の他の底面部１７４よりも高く形成されており、さらに、中央底面部１７２には、下方に突出する突起１７６が設けられている。
次に、図１１及び図１２に示されているように、ロック機構１４２は、その下部に、係止片１７８を備え、この係止片１７８により、係止口部１８０を形成している。また、係止片１７８の上面側には段差１８２が形成され、下面側には摘み部１８４が形成されている。
【００３３】
次に、ロック機構１４２をベースプレート１１２に取り付けるときは、図１２、図１３に示すように、先ず、ロック機構１４２の係止口部１８０に、ベースプレート１１２の中央底面部１７２を挿入する。次に、ロック機構１４２の係止片１７８がベースプレート１１２の突起１７６を乗り越えて、突起１７６が段差１８２に収まり、その結果、ロック機構１４２をベースプレート１１２に取り付けられる。
【００３４】
次に、図３乃至図５及び図１４乃至図１６により、ロック機構１４２及びロック機構移動規制機構である移動規制部１９０について説明する。ここで、図１４は、本実施形態の押ボタンユニット及びその近傍の止水状態でのロック解除時（図１４（ａ））及びロック時（図１４（ｂ））を示す正面図であり、図１５は本実施形態の押ボタンユニットの止水状態でのロック解除時（図１５（ａ））及びロック時（図１５（ｂ））を示す斜視図であり、図１６は、図５のＥ−Ｅ線に沿って見た断面図であり、図１６（ａ）は止水状態での移動規制部と押し釦の釦側当接部が当接していない状態を示し、図１６（ｂ）は吐水状態での移動規制部と押し釦の釦側当接部が当接してロック機構移動が規制されている状態を示している。
【００３５】
本実施形態によるロック機構１４２は、図３に示すように、一体的に形成された４つのロック用ツメ部１５２を備えている。また、押し釦１０８（１１０）は、図４に示すように、それぞれ、一体的に形成された２つのロック用リブ１５４を備えている。このロック機構１４２は、図５に示すように、止水状態で、使用者が操作することにより、ベースプレート１１２に沿って左方向Ｌ及び右方向Ｒに移動可能であり（図１５参照）、左方向Ｌに移動したとき、カラン用押し釦１０８及びシャワー用押し釦１１０の両方が同時にロック解除状態となり、右方向Ｒに移動したとき、カラン用押し釦１０８及びシャワー用押し釦１１０の両方が同時にロック状態となる。
【００３６】
次に、図３に示すように、ロック機構１４２には、押し釦１０８，１１０に向かって突出する２つの移動規制部１９０，１９２が一体的に形成されている。また、図４に示すように、押し釦１０８，１１０の一端部の側面には、釦側当接部１９４，１９６が形成されている。移動規制部１９０，１９２と釦側当接部１９４，１９６はそれぞれ対応しており、吐水状態で、移動規制部１９０が押し釦１０８の釦側当接部１９４と当接し（図１６（ｂ）参照）、また、移動規制部１９２が押し釦１１０の釦側当接部１９６と当接することにより（図１６（ｂ）参照）、吐水時に、押し釦１０８，１１０をロックできないようになっている。
【００３７】
上述した第１実施形態の水栓装置である湯水混合水栓１０１では、各押し釦１０８，１１０に対応して、２組の移動規制部１９０，１９２及び対応する釦側当接部１９４，１９６を設けているが、１組の移動規制部及び対応する釦側当接部を設けるようにしてもよい。
【００３８】
次に、上述した本発明の第１実施形態の動作を説明する。
先ず、使用者が湯水混合水栓１０１を使用する場合には、ロック機構１４２を左方向Ｌに移動させる。このとき、図１４（ａ）及び図１５（ａ）に示すように、ロック機構１４２の４つのロック用ツメ部１５２は押し釦１０８（１１０）のロック用リブ１５４から移動方向に沿って離れた位置となり、押し釦１０８及び１１０の両方のロックは同時に解除され、押し釦１０８（１１０）を押圧すると下降して、止水状態から吐水状態に切り替わるようになっている。
【００３９】
一方、使用者は、湯水混合水栓１０１を掃除するとき、水栓を使用しないとき、子供に操作させたくないとき、誤操作を防止する必要がある等のときは、ロック機構１４２を右方向Ｒに移動させる。このとき、図１４（ｂ）及び図１５（ｂ）に示すように、ロック機構１４２の４つのロック用ツメ部１５２は押し釦１０８（１１０）のロック用リブ１５４の背面側に移動して、ロック機構１４２のツメ部１５２と押し釦１０８（１１０）のリブ１５４が互いに対向し、それにより、カラン用押し釦１０８及びシャワー用押し釦１１０の両方が同時にロックされ、カラン用押し釦１０８及び／又はシャワー用押し釦１１０を押圧しても下降しないようになっている。
【００４０】
次に、使用者が、押し釦１０８（１１０）を押圧して、止水状態から吐水状態に切り替えて、湯水混合水栓１０１を（吐水状態で）使用しているときは、図１６（ｂ）に示すように、ロック機構１４２に設けられた移動規制部１９０が押し釦１０８の釦側当接部１９４と当接し、また、移動規制部１９２が押し釦１１０の釦側当接部１９６と当接することにより、押し釦１０８，１１０をロックできないようになっている。
【００４１】
このように、本実施形態によれば、ロック機構１４２を設けたので、止水状態では押し釦をロックすることが可能である。本実施形態によれば、さらに、ロック機構１４２に、このロック機構１４２の移動を規制する移動規制部１９０，１９２を設けたので、吐水状態でロック機構１４２を移動させて押し釦１０８，１１０をロック出来ないようになっている。このように、本実施形態によれば、吐水時に、押し釦１０８，１１０をロックすることが出来ないようになっているので、従来装置において発生していた、使用者が、吐水時に、押し釦１０８，１１０がロックされていることに気付かずに、止水させようとして押し釦１０８，１１０を必要以上に強く押すことにより生じていた、押し釦の外れや、破損を防止することができる。
【００４２】
次に、図１７及び図１８により、上述した第１実施形態の変形例を説明する。図１７は、本発明の第１実施形態の変形例における押ボタンユニットを示す斜視図であり、図１８は、図１７のＨ部の拡大斜視図である。ここでは、この変形例の第１実施形態と異なる部分を主に説明する。
【００４３】
図１７に示すように、この変形例の水栓装置である湯水混合水栓は、水栓本体（図示せず）、温度調整用ダイヤル（図示せず）、及び、押ボタンユニット２０６を備えている。
この押ボタンユニット２０６は、温度調整用ダイヤル（図示せず）用の取付孔２０７、カラン吐水用のカラン用押し釦２０８、シャワー吐水用のシャワー用押し釦２１０、これらの押し釦２０８，２１０が取り付けられるベースプレート２１２、押し釦２０８，２１０をロックして止水状態を保持するロック機構２４２、及び、１つの移動規制部２９２から構成されている。この移動規制部２９２は、吐水状態でロック機構２４２の移動を規制して押し釦２０８，２１０がロックされないようにするためのものであり、押し釦２１０に向かって突出するようにロック機構２４２と一体的に形成されている。
【００４４】
また、押し釦２１０の一端部の側面には、釦側当接部２９６が形成されている。ここで、図１７は、ロック解除時の状態を示しており、移動規制部２９２が釦側当接部２９６に当接しており、吐水状態で、ロック機構２４２が移動できないので、押し釦１０８，１１０をロックできないようになっている。
【００４５】
このように構成された第１実施形態の変形例においても、ロック機構２４２を設けたので、止水状態では押し釦２０８，２１０をロックすることが可能であり、さらに、ロック機構２４２に、このロック機構２４２の移動を規制する移動規制部２９２を設けたので、吐水状態でロック機構２４２を移動させて押し釦２０８，２１０をロック出来ないようになっている。この結果、この変形例においても、第１実施形態と同様に、押し釦を必要以上に強く押すことにより生じていた、押し釦の外れや、破損を防止することができる。
【００４６】
次に、図１９乃至図２１により、本発明の第２実施形態を説明する。図１９は、本発明の第２実施形態の押ボタンユニットを示す斜視図であり、図２０は、図１９のＪ部の拡大斜視図であり、図２１は、第２実施形態の移動規制部を図１９のＫ方向から見た側面図である。ここでは、この第２実施形態の第１実施形態と異なる部分を主に説明する。
【００４７】
図１９に示すように、この第２実施形態の水栓装置である湯水混合水栓は、水栓本体（図示せず）、温度調整用ダイヤル（図示せず）、及び、押ボタンユニット３０６を備えている。
この押ボタンユニット３０６は、温度調整用ダイヤル（図示せず）用の取付孔３０７、カラン吐水用のカラン用押し釦３０８、シャワー吐水用のシャワー用押し釦３１０、これらの押し釦３０８，３１０が取り付けられるベースプレート３１２、押し釦３０８，３１０をロックして止水状態を保持するロック機構３４２、及び、１つの移動規制部３９０から構成されている。
【００４８】
第２実施形態においては、この移動規制部３９０は、カラン用押し釦３０８の一端側（図１９では下方端）に取り付けられた突出片３８８の先端に設けられた突起により構成されている。また、この突起である移動規制部３９０が、ロック時には当接せず、ロック解除時にのみ当接するロック機構３４２の一部が、ロック機構側当接部３９６として構成されている。
ここで、図１９は、ロック解除時の状態を示しており、押し釦３０８に設けられた移動規制部３９０がロック機構側当接部３９６に当接しており、吐水状態では、ロック機構３４２が移動できないので、押し釦３０８，３１０をロックできないようになっている。
【００４９】
このように構成された第２実施形態においても、ロック機構３４２を設けたので、止水状態では押し釦３０８，３１０をロックすることが可能であり、さらに、押し釦３０８に、ロック機構３４２の移動を規制する移動規制部３９０を設けたので、吐水状態でロック機構３４２を移動させて押し釦３０８，３１０をロック出来ないようになっている。この結果、この第２実施形態においても、第１実施形態と同様に、押し釦を必要以上に強く押すことにより生じていた、押し釦の外れや、破損を防止することができる。
【００５０】
次に、図２２乃至図２５により、本発明の第２実施形態の変形例を説明する。図２２は、本発明の第２実施形態の変形例における押ボタンユニットを示す斜視図であり、図２３は、図２２のＭ部の拡大斜視図であり、図２４は、第２実施形態の変形例における移動規制部を図２２のＮ方向から見たロック解除時の平面図であり、図２５は、同様なロック時の平面図である。ここでは、この変形例の第２実施形態と異なる部分を主に説明する。
【００５１】
図２２に示すように、この第２実施形態の変形例の水栓装置である湯水混合水栓は、水栓本体（図示せず）、温度調整用ダイヤル（図示せず）、及び、押ボタンユニット４０６を備えている。
この押ボタンユニット４０６は、温度調整用ダイヤル（図示せず）用の取付孔４０７、カラン吐水用のカラン用押し釦４０８、シャワー吐水用のシャワー用押し釦４１０、これらの押し釦４０８，４１０が取り付けられるベースプレート４１２、押し釦４０８，４１０をロックして止水状態を保持するロック機構４４２、及び、１つの移動規制部４９２から構成されている。
【００５２】
第２実施形態の変形例においては、この移動規制部４９２は、シャワー用押し釦４１０の一端側（図２２では下方端）に取り付けられた突出片４８８の先端の側面のロック機構４４２の方向に突出する突板により構成されている。また、この突板である移動規制部４９２が、ロック時には当接せず、ロック解除時にのみ当接するロック機構４４２の一側端部が、ロック機構側当接部４９６として構成されている。
【００５３】
ここで、図２２は、ロック解除時の状態を示しており、押し釦４１０に設けられた移動規制部４９２がロック機構側当接部（ロック機構４４２の一側端部）４９６に当接しており、吐水状態では、ロック機構４４２が移動できないので、押し釦４０８，４１０をロックできないようになっている。
また、図２５に示すように、ロック時には、移動規制部４９２はロック機構側当接部（ロック機構４４２の一側端部）４９６から離れ、ロック機構４４２が、押し釦４０８，４１０をロックし、止水状態が保持されるようになっている。
【００５４】
このように構成された第２実施形態の変形例においても、ロック機構４４２を設けたので、止水状態では押し釦４０８，４１０をロックすること（図２５参照）が可能であり、さらに、押し釦４１０に、ロック機構４４２の移動を規制する移動規制部４９２を設けたので、吐水状態でロック機構４４２を移動させて押し釦４０８，４１０をロック出来ないようになっている。この結果、この第２実施形態の変形例においても、第２実施形態と同様に、押し釦を必要以上に強く押すことにより生じていた、押し釦の外れや、破損を防止することができる。
【図面の簡単な説明】
【００５５】
【図１】本発明の第１実施形態による湯水混合水栓を示す全体斜視図である。
【図２】図１に示された湯水混合水栓の平面図である。
【図３】本発明の第１実施形態による押ボタンユニットの部品を展開して示す展開図である。
【図４】本発明の第１実施形態による押し釦を裏側から見た斜視図である。
【図５】本発明の第１実施形態による押ボタンユニットを示す正面図である。
【図６】図５のＤ−Ｄ線に沿って見た断面図である。
【図７】本発明の第１実施形態におけるロック解除時に使用者が押し釦を操作するときの押し釦の各レベルを示す湯水混合水栓の部分断面図である。
【図８】本発明の第１実施形態の押し釦による止水状態（図８（ａ））と吐水状態（図８（ｂ））を示す側面図である。
【図９】本発明の第１実施形態のベースプレートを図３のＦ方向から見た図である。
【図１０】図９のＧ−Ｇ線に沿って見た断面図である。
【図１１】本発明の第１実施形態のロック機構を示す正面図である。
【図１２】図１１の側面図である。
【図１３】本発明の第１実施形態におけるロック機構が取り付けられた状態を示す押ボタンユニットの断面図である。
【図１４】本発明の第１実施形態の押ボタンユニット及びその近傍の止水状態でのロック解除時（図１４（ａ））及びロック時（図１４（ｂ））を示す正面図である。
【図１５】本発明の第１実施形態の押ボタンユニットの止水状態でのロック解除時（図１５（ａ））及びロック時（図１５（ｂ））を示す斜視図である。
【図１６】図５のＥ−Ｅ線に沿って見た断面図であり、図１６（ａ）は止水状態での移動規制部と押し釦の釦側当接部が当接していない状態を示し、図１６（ｂ）は吐水状態での移動規制部と押し釦の釦側当接部が当接してロック機構移動が規制されている状態を示す。
【図１７】本発明の第１実施形態の変形例におけるボタン釦ユニットを示す斜視図である。
【図１８】図１７のＨ部の拡大斜視図である。
【図１９】本発明の第２実施形態のボタンユニットを示す斜視図である。
【図２０】図１７のＪ部の拡大斜視図である。
【図２１】本発明の第２実施形態の移動規制部を図１９のＫ方向から見た側面図である。
【図２２】本発明の第２実施形態の変形例における押ボタンユニットを示す斜視図である。
【図２３】図２２のＭ部の拡大斜視図である。
【図２４】本発明の第２実施形態の変形例における移動規制部を図２２のＮ方向から見たロック解除時の平面図である。
【図２５】本発明の第２実施形態の変形例における移動規制部を図２２のＮ方向から見たロック時の平面図である。
【符号の説明】
【００５６】
１０１  湯水混合水栓（水栓装置）
１０２  水栓本体
１０６，２０６，３０６，４０６  押ボタンユニット
１０８，２０８，３０８，４０８  カラン用押し釦
１１０，２１０，３１０，４１０  シャワー用押し釦
１１２，２１２，３１２，４１２  ベースプレート
１３０，１３２  開閉弁ユニット
１４２，２４２，３４２，４４２  ロック機構
１９０，１９２，２９２，３９０，４９２  移動規制部（ロック機構移動規制機構）
１９４，１９６，２９６，釦側当接部
３８８，４８８  突出片
３９６，４９６  ロック機構側当接部
【図１】
0004638832.tif 000002
【図２】
0004638832.tif 000003
【図３】
0004638832.tif 000004
【図４】
0004638832.tif 000005
【図５】
0004638832.tif 000006
【図６】
0004638832.tif 000007
【図７】
0004638832.tif 000008
【図８】
0004638832.tif 000009
【図９】
0004638832.tif 000010
【図１０】
0004638832.tif 000011
【図１１】
0004638832.tif 000012
【図１２】
0004638832.tif 000013
【図１３】
0004638832.tif 000014
【図１４】
0004638832.tif 000015
【図１５】
0004638832.tif 000016
【図１６】
0004638832.tif 000017
【図１７】
0004638832.tif 000018
【図１８】
0004638832.tif 000019
【図１９】
0004638832.tif 000020
【図２０】
0004638832.tif 000021
【図２１】
0004638832.tif 000022
【図２２】
0004638832.tif 000023
【図２３】
0004638832.tif 000024
【図２４】
0004638832.tif 000025
【図２５】
0004638832.tif 000026